(57)【要約】【課題】この発明は廃水処理槽洗浄装置において生じる余剰汚泥や浮遊物質、懸濁物質などを除去洗浄するための装置であって、目詰りなどが容易に除去でき、廃水処理槽に対しても簡単に設置、施工できる洗浄装置を提案する。【解決手段】廃水Ｗの水質を改善する廃水処理槽１の水処理床に散気して洗浄する洗浄管６１を具える洗浄装置６０であって、この水処理床を支持する強化プラスチックの支持架枠１５から洗浄管６１を吊り下げ、支持架枠１５と平行又は略々平行に取付け、洗浄管６１の下に下向きに傾斜する傾斜流路５０を設けることもできる廃水処理槽洗浄装置である。【選択図】図１
2007029866.tif 000002
【特許請求の範囲】
【請求項１】
廃水の水質を改善する廃水処理槽の水処理床に散気して洗浄する洗浄管を具える洗浄装置であって、この水処理床を支持する強化プラスチックの支持架枠から前記洗浄管を吊り下げ前記支持架枠と平行又は略々平行に取付けて成ることを特徴とする廃水処理槽洗浄装置。
【請求項２】
前記洗浄管の下に下向きに傾斜する傾斜流路を設けることを特徴とする請求項１記載の廃水処理槽洗浄装置。
【請求項３】
前記洗浄管に長さ方向に沿って前記水処理床に対し下向きに散気する吐出ノズルを設ける一方、先端を下向きに折曲げてその折曲げ部の先端を開放させたままとすることを特徴とする請求項１又は２記載の廃水処理槽洗浄装置。
【請求項４】
前記水処理床を生物処理床又は濾過処理床にすることを特徴とする請求項１、２又は３記載の廃水処理槽洗浄装置。
【発明の詳細な説明】
【技術分野】
【０００１】
本発明は廃水処理槽洗浄装置に係り、なかでも、例えば生物的処理槽において生じる余剰汚泥や浮遊物質、懸濁物質などを除去洗浄するための装置であって、目詰りなどが容易に除去でき、廃水処理槽に対しても簡単に設置、施工できる洗浄装置に関するものである。
【０００２】
なお、この明細書においては、廃水処理槽として生物的処理槽を中心に説明するが、このほかにも例えば濾過処理槽、脱窒処理槽など廃水処理一般に適用できる。
【背景技術】
【０００３】
従来から、飲料に適する水を得るための浄水処理と工場や家庭からの廃水を公共用水域などに排出できる水質するための廃水処理とが行なわれている。目的に応じて処理するしくみは相違する部分もあっても、処理プロセスとしては共通するところが多く、何れも濾過と水処理又はこれらの組み合わせたプロセスとしてみることができる。
【０００４】
すなわち、飲料水を得るための浄水処理技術は、濾過などの物理的処理に塩素酸化（消毒）処理が加味されたものであり、排水処理技術は、活性汚泥法、接触酸化法（接触ばっ気法）などの生物的処理や、中和法、酸化還元法、凝集沈澱法などの化学的処理や、沈澱分離法やろ過法、限外ろ過法などの物理的処理である。
【０００５】
なかでも、これら排水処理のうちで物理的処理や化学処理に較べると、生物的処理が河川などでの自然に近い状況で工場廃水や家庭廃水が処理でき、高度の品質の水が得られることから、生物的処理が用いられる例が多い。とくに、最近は、家庭その他の生活廃水中に含まれる有機物質に対する微生物の多様な機能が発見され、それを有効に活用できるようになって来たこともあって、廃水中に含まれる有機物質を好気分解あるいは嫌気分解処理する生物的処理が広く行なわれ、それらの水処理を実施するための生物処理装置が多く提案実施されている。
【０００６】
これら生物的処理やその装置は微生物による有機物質の接触酸化法分解に併せて空気などの気体をばっ気する方法、ちなみに接触ばっ気法といわれるものが多い。この方法は、廃水中に接触酸化に関与する接触材を入れて下からばっ気する方法か、要するに流動床法か、廃水の通過する接触材の生物層に向けばっ気する方法であるが、何れの方法であっても、その接触材の表面に生息する好気性微生物の生物膜を成長させてこれにより廃水中の有機物質を分解除去し、併せて、この微生物による分解除去のために必要な酸素を供給する方法である。
【０００７】
一方、これら生物的処理やその装置は、接触材の表面において付着成長する微生物の接触反応によって有機物質を分解して処理するものであるが、この分解反応によって、どうしても汚状の有機汚泥が生成する。この有機汚泥が多くなると生物処理が行なわれにくくなる。また、廃水中に浮遊する懸濁物質（ＳＳ）は接触材の間で捕足され、その捕足量が多くなると目詰りが生じ、生物的処理が進行しなくなる。このようなところから、生物的処理では接触ばっ気処理のほかに、必要に応じて、タイムリ−に空気などを上向きに噴射又は散気（なお、以下において散気も噴射も空気を吹き出すことは同じであるから、噴射又は吹き出しとして統一する。）させて洗浄する洗浄処理が行なわれ、この洗浄装置は噴出ノズルから空気を上向き流として空気吹出す型式のものである。しかし、この洗浄装置は生物処理槽などの下部に設けられることもあって、廃水中に浮遊する懸濁物質（ＳＳ）が噴出ノズルにつまることが多く、その都度洗浄されている。
【０００８】
また、洗浄装置は、所定の処理槽の底部に通常洗浄空気を送る洗浄管を略々水平に配管し、この洗浄管に噴出ノズルを設けて、処理槽外から洗浄空気をブロワ−などで送るように構成されているものである。この洗浄管は生物処理槽や濾過処理槽の底部にその底面を足場として設けられる。しかし、この構造では、洗浄管を水平又はそれに近く配設するのがきわめてむづかしい。さらに、足場として利用する底部の底面は平坦に構成することになって、除去された汚泥が堆積し易く、堆積汚泥の除去に支障があるという問題がある。
【０００９】
例えば、一つの生物処理装置が特開２００４−１７４４３３号公報に開示提案されている。この生物処理装置は生物処理槽のみから成るものでなく、生物処理槽に濾過処理槽が組み合わされ一体に結合されて構成されている。この生物処理槽は固形分などが除去されている廃液が上向きにして上昇する間に微生物と接触酸化反応させて除去する生物処理領域であるのに対し、この領域で処理された廃液が濾過処理槽に流れ廃水中の浮遊物質が除去されるよう構成されている。この生物処理槽ではポンプなどにより強制的に上昇され、その廃液が接触材と接触する間に生物処理される。生物処理後の廃液は隣接する濾過処理槽に入り濾過処理槽を下降する間に濾過されて浄化されるものである。
【００１０】
この生物処理槽における上昇と濾過処理槽における下降とはくり返され、濾過された廃液は濾過処理槽の下部からポンプにより吸上げられて次の処理に移行するように構成されている。このように生物処理槽の下部に微生物に酸素を与えるためにばっ気する空気供給手段として吹出しノズルが設けられ、それにより廃液が強制的に循環されることから、生物処理槽下部の吹出しノズルからの空気の吹出圧力を調整することによって濾過処理槽の詰まりを解消できるように構成されている。また、場合によっては濾過処理槽の下部にも濾過層やフィルタ層の洗浄のために洗浄管などの洗浄装置を設けることができるようになっている。
【００１１】
この生物処理装置においては濾過処理槽や生物処理槽の何れであっても、底部の底面を足場として空気供給手段や洗浄装置を設けることになるため、その足場の底面は平坦に構成されその上に空気供給手段や洗浄管などの配管系が配設されている。何れにしてもそれぞれの処理槽の底部で底面が平坦であることを前提として構成されていると、濾過分離された汚泥が平坦な底面に堆積して槽外に排出できず、これを除去するのに手間がかかっている。
【００１２】
また、生物処理槽と濾過処理槽のいずれでも上向きに空気を吹き出す空気供給手段や洗浄装置などの配管系が処理槽内の底面を足場として設けられている構造であるため、これらの配管系は常に生物処理槽や濾過処理槽などに対し平行に設置されていることが必要である。この理由は、配管系が平行でないと、各洗浄管に設けられる吹出しノズルから散気又は吹出される空気が生物処理槽や濾過処理槽に平均に当たることがない。局部的なバラツキが多くなり、通過する廃水の浄化や濾過にバラツキが発生する。
【００１３】
さらに加えるならば、生物処理装置の生物処理槽や濾過処理槽のいずれでもあっても、処理すべき廃水が充満され、水深は高さだけみてもほぼ５メ−トル程度に達し、底部のばっ気や洗浄のために配管系には相当の水圧、ほぼ２．５ｋｇ／ｃｍ２以上の水圧がかかっている。このような高水圧のもとでは分離除去した汚泥が配管系、なかでも吹出しノズルや吹出し口に入り、つまることが多い。この除去作業は高い水圧のもとでひんぱんに行なうことになって好ましくなく、配管の中に入った汚泥を除去するのは大変な手間がかかり、完全に除去するのには各処理槽から水を抜いて行なうことさえあって、その改善が求められている。
【特許文献１】特開２００４−１７４４３３号公報
【発明の開示】
【発明が解決しようとする課題】
【００１４】
本発明は上記欠点を解決することを目的とし、廃水の水質を改善して公共水域に排出する廃水処理槽において生物的処理床などの全体にわたって散気でき、しかも、設置、施工がきわめて簡単な洗浄装置を提案する。
【課題を解決するための手段】
【００１５】
まず、本発明は、廃水の水質を改善する廃水処理槽の水処理床に散気して洗浄する洗浄管を具える洗浄装置であって、しかも、この水処理床を支持する支持架枠は強化プラスチックの型材などから構成する一方、この支持架枠から洗浄管を吊り下げ支持架枠と平行又は略々平行に取付けることから成っている。
【００１６】
また、このように設けられた洗浄管の下には下向きに傾斜する傾斜流路を設ける。
【００１７】
また、各洗浄管に長さ方向に沿って水処理床に対し下向きに散気する吐出又は噴射ノズルを設ける一方、先端を下向きに折曲げてその折曲げ部の先端を開放させたままとして構成する。
【発明の効果】
【００１８】
以上のとおり構成されるところから、本発明に係る洗浄装置はその洗浄管からの散気又は噴射は例えば生物処理槽などの水処理床の全面にわたって均一に行なわれ、付着した活性汚泥などが局部的に損なわれることがない。
【００１９】
また、洗浄管などは水処理床の支持架枠から吊り下げるのみで取付けることができるため、施工がきわめて容易であり、取付けた洗浄管などが廃流の流動の障害になることがなく、分離された余剰汚泥が堆積することがない。
【００２０】
また、処理された廃液は傾斜流路を経て流れるため汚泥などの堆積も最小限におさえることができる。
【００２１】
さらに、洗浄管の先端部が折曲げられるのみで、先端が開放されているために、汚泥などの除去が開放先端から行なわれ、きわめて簡単である。
【発明を実施するための最良の形態】
【００２２】
そこで、本発明に係る洗浄装置ついて、それを実施するための以下に図示するところの最良の形態を通じて、さらに詳しく説明すると、つぎのとおりである。
【００２３】
なお、図１は本発明に係る洗浄装置を具える生物処理装置の一例の構造を縦断面として示す説明図である。
【００２４】
図２は図１に示す生物処理装置の洗浄管の構造を側面図として示す説明図である。
【００２５】
図３は図１に示す生物処理装置の洗浄管の構造を平面図として示す説明図である。
【００２６】
図４は図２の矢視Ａ−Ａ方向から又は図３の矢視Ｂ−Ｂ方向からの横断面図である。
【００２７】
まず、図１において符号１は本発明の一つの実施例に係る生物処理装置であって、この生物処理装置１は生物処理槽１０と空気などの気体溶存槽２０とから成っている。この生物処理槽１０の下部に本発明に係る洗浄装置６０が設けられ、この洗浄装置６０から図４の矢印方向に噴射された空気は、上向きに上昇し、この空気により、後記の生物処理床に付着する余剰汚泥などが除去されて洗浄される。
【００２８】
なお、図１においては生物処理槽１０で気体溶存槽２０からの廃液Ｗ（ｗａｓｔｅ  
ｌｉｑｕｉｄ）を好気的分解する例が示されているが、生物処理槽１０は必ずしもこの例にとどまらず、嫌気的分解するものや先に示したものも含めて濾過処理槽のみに供せられるものも含まれ、さらに、図１に示すように、生物処理槽１０と他の処理槽と結合されたもののほか、単独で生物処理する槽や濾過槽も含まれる。
【００２９】
すなわち、生物処理装置１は、図１に示すように、生物処理槽１０と気体溶存槽２０とから成っている。生物処理槽１０と気体溶存槽２０は仕切り壁４０によって仕切られて構成され、仕切り壁４０の高さは生物処理装置１内の廃液Ｗのレベル（ＷＬ）より低く構成する。気体溶存槽２０において流入させた廃液Ｗを廃液レベル（ＷＬ）まで上昇させ、この上昇の間に廃液Ｗの中に空気などの気体を細かく分散させる。
【００３０】
また、生物処理槽１０と気体溶存槽２０との間を連絡する流路として下向きに傾斜する傾斜流路５０を構成し、これによって連絡する。廃液Ｗは生物処理槽１０内で浄化されてから、その傾斜流路５０を経て気体溶存槽２０にリタ−ンされ、気体溶存槽２０内で廃液Ｗには再び空気を溶存されて廃液レベル（ＷＬ）まで上昇し、上昇した廃液Ｗはそこで速度を失なって上澄液は浄化されて上部の流出装置（図示せず）から取出され、外の廃液Ｗは生物処理槽１０で再び生物処理される。
【００３１】
要するに、図１に示すとおり２つの槽が組合わされて構成される生物処理装置１においては、気体溶存槽２０および生物処理槽１０とこれらを連絡する傾斜流路５０とから成る経路を経て廃液Ｗが循環する一つの閉回路されている。この閉回路を廃液が循環する間に上澄液として順次取出しながら廃液Ｗを浄化されるものである。
【００３２】
このように図１に示す装置であると、取出される上澄液が浄化されたものになるのは、上記のように、気体溶存槽２０内にエゼクタ−などの気体噴射装置２１により噴射される気体、例えば空気により廃液Ｗがさそわれて上昇し、廃液レベル（ＷＬ）に達したときに廃液Ｗは速度エネルギを失なって、浄化されたものが上澄液として分離され、取出される。
【００３３】
また、図１に示す例の生物処理槽１０は、好気性微生物の介在により酸化分解する所謂ＢＯＤ槽である。
【００３４】
すなわち、ＢＯＤ槽として構成される生物処理槽１０内を上から下降する廃液Ｗは接触材１１から成る生物処理床１２を通過し、廃液Ｗ中に含まれる有機物質などは酸化分解される。この酸化分解に必要な酸素は廃液Ｗ中に予め溶存され酸素として与えられ、接触材１１表面の微生物に十分な酸素を与えられる。
【００３５】
生物処理床１２は上下から合成樹脂の支持架枠１４、１５によって押さえられて支持され、支持架枠１４、１５は強化プラスチックの型材から成る枠材と支持材とすの子状に組み合わせて構成することができる。
【００３６】
このように支持架枠１４、１５、合成樹脂、なかでも、強化プラスチックの型材などから構成すると、きわめて過酷な腐蝕環境であっても腐蝕することがない。とくに、合成樹脂材のうちでも強化プラスチック材は強化材としてガラス繊維などが入ったものであるところから、機械的強度もステンレス鋼材とほとんど変りなく、コストも安く経済的である。
【００３７】
さらに、軽く軽量であることから、支持架枠１４、１５の枠材や支持材などの設置がきわめて容易で、その取付けは止め具を用いるだけで取付けられ、施工時の運搬や取付けに全くといっていいほど重筋作業を必要としない。
【００３８】
以上のように、生物処理装置１は、図１に示すように、ＢＯＤ槽の生物処理槽１０や先に示した従来例のように、濾過処理槽や、さらに、嫌気的分解槽などを具えるものであって、この生物処理装置１において、廃液Ｗ、すなわち、所望に応じて固形物などが除去された廃液を生物床を介して生物処理して浄化する。このように生物処理槽１０の生物処理床１２における接触材１１に廃液Ｗを接触させて行なわさせると、生物処理床１２に過剰の汚泥が生成し、この余剰の汚泥が除去されないと、微生物が酸素を摂取して活性に保持することができず、また、濾過処理槽の濾過床に目詰りなどが生じると、生物処理槽や濾過処理槽における水の浄化機能が発揮できない。
【００３９】
このところから、いずれの処理槽においても、生物処理床１２における処理の間に余剰の汚泥が生じ、余剰の汚泥が多くなるとそれによって微生物に空気（又は酸素）を生存に必要な量も与えられることができず死滅することになる。このような支障な事態が生じるときには、生物処理床１２の各接触材１１に向けて空気を吹き出し除去する。このために、図２、図３および図４に示すような洗浄装置６０を設ける一方、図１に示すように、生物処理槽１０の底部と気体溶存槽２０との間を傾斜流路５０で連絡し、この傾斜流路５０の底面は水平又はそれに近く構成することなく、底面を下向きに傾斜する傾斜面５１として形成する。このように洗浄装置６０を構成すると、余剰の汚泥はむらなく除去でき、接触材１１の表面で生長する微生物を害することなく、平均して生成させることができ、さらに、浄化された廃液Ｗは傾斜面５１に沿って所定の速度で下向きに流れ、汚泥が沈降し堆積することがない。
【００４０】
元来、生物処理は、河川その他において有機物の微生物による接触分解という生化学的反応を利用するものである。したがって、生物処理槽１０も河川と略々同じ条件で浄化が行なわれることが必要である。しかし、従来例の生物処理槽１０の生物処理床１２の全体にわたり、片寄ることなく空気などの気体を吹き付けて余剰の汚泥を落下させることがきわめてむづかしい。
【００４１】
すなわち、生物処理床１２に対し下から空気などの気体を平均して当てるのには、生物処理床１２に対し、洗浄装置６０の洗浄管６１を厳格に平行に配設することが必要であり、この洗浄管６１に吹出しノズル６３を設け、各吹出しノズル６３から図４に示すように斜め下向きに空気が噴射しそれが上向きに上昇するように構成する必要がある。
【００４２】
このところから、本発明においては、単に洗浄装置６０を図２、図３および図４から構成する一方、この洗浄装置６０とともに図１に示すように、例えばＢＯＤ槽などの生物処理槽１０の一部として傾斜流路５０を構成する。このところが本発明の特徴の一つでもある。
【００４３】
すなわち、傾斜流路５０はその底面が傾斜面５１から成るものであって、生物処理槽１０や濾過処理槽の下部にその一部として設けられている。
【００４４】
この傾斜流路５０は下向きに傾斜されている。このため、落下した余剰の汚泥は傾斜流路５０の傾斜面５１に沿って下降し所定の速度で流れて排出される。
【００４５】
さらに説明すると、例えば、図１に示すように、生物処理槽１０の一部を傾斜流路５０には、浄化のときに分離された汚泥は廃水とともに下降し、濃縮器あるいはシックナ−などといわれるもので知られるように、廃液は余剰汚泥を溶存させた廃液Ｗは傾斜流路５０に入ると余剰汚泥は沈降し底部の傾斜面５１に沿って集積流動し排出される。
【００４６】
このように処理槽の底面を下向きに傾斜させて構成されるため、シックナ−などと同様に、円滑に一つの所に集泥できる。それにも拘らず、従来例の生物処理槽では、その底面を平坦で略々水平に構成されている。この理由は、槽の底面を略々平坦かつ水平に構成し、それを足場若しくは基準として配管し、洗浄配管などの洗浄設備の水平かつ平行性を保つからである。
【００４７】
しかし、本発明のように、生物処理槽などの底面を傾斜させて傾斜流路５０として構成すると、洗浄配管などの洗浄設備を底面を足場又は基準として設けることができない。このようなところから、洗浄配管などの諸設備は傾斜流路５０の底面を足場として設けることなく、生物処理槽を支持する支持架枠１５、例えばそのプラスチック型材などの型枠材を介して吊り下げて配設する。
【００４８】
また、洗浄管などの洗浄設備から成る洗浄装置６０の空気などの吹出しによる洗浄は、後記のように、生物処理床１２の各接触材１１に対し全体にわたって平均に行なわれることが必要である。このため、洗浄装置６０の各配管は常に生物処理槽１０に対し平行に行なわれることが必要であり、傾斜流路５０の全面、換言すると、槽１０の底部の全面にわたって配置するのが好ましい。
【００４９】
すなわち、生物処理槽１０内において、接触材又は担体１１から成る生物処理床１２を支持する支持架枠１４、１５、なかでも、下から支える支持架枠１５を構成する型材などの枠材は水平に設けることが必要であり、併せて、傾斜流路５０内に配置する洗浄配管などの洗浄設備は生物処理床１２に対し略々平行に設けられていることが必要な条件となる。このような条件が維持される場合は、吹出しノズルからの吹出しが生物処理床１２の全体にほとんど等しい圧力のもとで行なわれることとなり、余剰の汚泥の除去も平均化し、各接触材表面に生成する生物膜は何れのところの微生物でも常に活性汚泥としての機能が保持できる。
【００５０】
要するに、各洗浄配管からの吹出しは生物処理床１２との間で常に同じ条件で行なわれることが必要である。この条件は、生物処理床１２に対し各洗浄管を厳格に平行をなすよう配置することである。しかし、この条件は底面を平坦かつ水平に施工することがきわめてむづかしく、それを足場として施工しても、施工された洗浄配管が生物処理床１２に対し必ずしも平行になるとは限らないからである。
【００５１】
これに対し、傾斜流路５０を下向きに傾斜させて構成しても、それを足場としない限りは、洗浄管などを取付けても、洗浄配管などの生物処理床１２に対する平行性は保持できる。すなわち、生物処理床１２やその支持架枠１４、１５の施工はレベルの機器を用いると厳格に直線性や平行性が維持できる。この平行な生物処理床１２と一体に平行な洗浄配管を設けると、空気を吹出しても、生物処理床の洗浄はまばらになることがなく、廃水の浄化が局部的にばらつくこともない。
【００５２】
また、このように傾斜流路５０を設け、さらにその底面を足場として使用することなく、下の支持架枠１５から洗浄管を吊り下げて設けると、廃液Ｗの流れによって洗浄管などによって押されることもないため、平行度は経時的にも失なわれることもない。
【００５３】
すなわち、傾斜流路５０は浄化された廃液Ｗが流動する流路である。そこに支持脚が存在すると、それが障害になって余剰汚泥がたまるほか、流れに押されて生物処理床１２に対し洗浄管など洗浄設備の平行性が失なわれ易い。さらに、平行性が失なわれると、洗浄のために吹き出された空気が生物処理床１２の全面にわたって平均に当りにくくなり、生物処理床１２の各接触材１１の活性汚泥の厚さがばらつき、廃液中の有機物質の酸化反応の程度が異なり、有機物質の酸化反応に関与する活性汚泥までも除去する。要するに、廃水を自然に落下させながら有機物質などを除去するためには、洗浄化のときに各担接触材に微生物を均一に付着させておく必要があるが、このような状態が失なわれ易い。
【００５４】
また、洗浄装置６０は洗浄時に上向きに空気などが吹出し口できる構造のものであればいずれにも構成できるが、図３に示すように少なくとも２つの洗浄管６１とその洗浄管６１に間隔をおいて設けた吹出しノズル６３（図４参照）とから構成することができる。すなわち、図２に示すとおり、各洗浄管６１の先端は下向きに折曲げられて折曲げ部６２を形成する。折曲げ部６２の先端はそのまま開孔させたままにして閉じることはない。すなわち、先端を下向きに折曲げて折曲げ部６２を構成し、それを開孔させたままにして閉塞させないでおくと、洗浄の時には高圧の空気を供給すると、供給した空気は先端の開放部分から吹出すことなく吹出しノズル６３から噴射され上向きに上昇する一方、吹出しノズル６３から侵入した汚泥は洗浄管６１内に堆積することなく先端開口部から容易に除去できる。
【００５５】
例えば、生物処理槽１０には全体にわたり、廃液Ｗが充満されている。このときは、高さだけみてもほぼ５ｍ程度の水深を持って底部に配管されている洗浄管６１には水深５ｍに相当する高い水圧がかかっている。このため、空気をこの水圧に相当する圧力に調整して供給すると、先端では、例えば２．５ｋｇ／ｃｍ２程度の水圧がかかり、先端の開孔部からの廃水などが侵入することがない。なかでも、洗浄管６１の先端を下向きに折曲げて折曲げ部６２を構成すると、その部分があたかも栓のような機能を果す。一方、内部の汚泥を除去するときは、供給する空気の圧力を水圧に逆らうよう調整すると、先端は開放されて洗浄管６１内の詰まりを完全に追い出すことができ、その除去も処理作業中でも洗浄をタイムリ−に円滑に行なうことができる。
【００５６】
なお、各洗浄管６１に吹出しノズル６３を設ける場合、図４に示すとおり、吹出しノズル６３は下向きに放射線方向に設けることができる。このように吹出しノズルを設けると、下降する汚泥などが内部に入りにくいことはもとより、調整された圧力で吹き出された空気は全体にわたって広がって上昇する。
【産業上の利用可能性】
【００５７】
本発明はきわめて簡単に施工できる洗浄装置であって、各種浄水設備、なかでも、飲料に適する水を得るための浄水処理や工場や家庭からの廃水を公共用水域などに排出できる水質するための廃水処理など広く一般に利用でき、濾過などの物理的処理、活性汚泥法、接触酸化法（接触ばっ気法）などの生物的処理や、中和法、酸化還元法、凝集沈澱法などの化学的処理や、沈澱分離法やろ過法、限外ろ過法などの物理的処理にも利用できる。
【図面の簡単な説明】
【００５８】
【図１】本発明に係る洗浄装置を具える生物処理装置の一例の構造を縦断面として示す説明図である。
【図２】図１に示す生物処理装置の洗浄管の構造を側面図として示す説明図である。
【図３】図１に示す生物処理装置の洗浄管の構造を平面図として示す説明図である。
【図４】図２の矢視Ａ−Ａ方向から又は図３の矢視Ｂ−Ｂ方向からの横断面図である。
【符号の説明】
【００５９】
１  生物処理装置
１０  生物処理槽
１１  接触材
１２  生物処理床
１４  支持架枠
１５  支持架枠
２０  気体溶存槽
２１  気体噴射装置
４０  仕切り壁
５０  傾斜流路
５１  傾斜面
６０  洗浄装置
６１  洗浄管
６２  折曲げ部
６３  吹出しノズル
【図１】
2007029866.tif 000003
【図２】
2007029866.tif 000004
【図３】
2007029866.tif 000005
【図４】
2007029866.tif 000006